(57)【要約】【課題】例えば、カップラーメンの容器として使用した場合にはスープのみを容易に飲むことができ、また、氷入り飲料の容器として使用した場合には飲料のみを容易に飲むことができるカップを提供する。【解決手段】麺や氷等の固形物Ｓと、スープやジュース等の飲用液体Ｌを混合した飲食品を飲食するために使用するカップであって、有底筒形状のカップ本体１の内部に、当該カップ本体１内を二つの部屋に分ける仕切り壁２を設け、少なくとも、カップ本体１と仕切り壁２との間に、飲用液体Ｌのみが通過できる間隙Ｇを形成する。【選択図】      図１
2004323060.tif 000002
【特許請求の範囲】
【請求項１】
麺や氷等の固形物と、スープやジュース等の飲用液体を混合した飲食品を飲食するために使用するカップであって、
有底筒形状のカップ本体の内部に、該カップ本体内を二つの部屋に分ける仕切り壁を設け、少なくとも、前記カップ本体と仕切り壁との間に、前記飲用液体のみが通過できる間隙を形成してなることを特徴とする仕切りカップ。
【請求項２】
前記仕切り壁を、可撓性材料で形成すると共に、その中心に縦方向に沿って折曲げた折曲ラインを形成し、湾曲状態に撓ませてその片面を前記カップ本体の内周面に当接させると共に、その両端部を固定して取付け、前記カップ本体の内周面とは逆方向に撓ませて前記カップ本体の中心方向に反転自在としてなることを特徴とする請求項１に記載の仕切りカップ。
【請求項３】
前記仕切り壁を、壁材に、前記カップ本体の上端から差し込む略Ｖ字状の孔部を形成し、その孔部の内側に形成される略逆三角形状の内側部分と、前記孔部の外側に形成される外側部分のうち、前記内側部分で構成し、
前記外側部分をカップ本体の外周面に当接する支持部とし、
前記カップ本体に着脱自在としてなることを特徴とする請求項１に記載の仕切りカップ。
【発明の詳細な説明】
【０００１】
【発明の属する技術分野】
本発明は、例えば、カップラーメンの容器として使用した場合に、そのスープのみを容易に飲むことのできる仕切りカップに関するものである。
【０００２】
【従来の技術】
従来、カップラーメンの容器は、いわゆる通常のカップ形状に形成されている。この容器に収納されているカップラーメンのスープのみを飲むには、その上端開口部に唇を当てて容器を傾け、唇で麺の侵入を止めながら、スープのみを入れるようにして行う必要がある。
また、氷入りの飲料（水、ジュース、コーラ等）を、通常のカップを使用して飲む場合は、同様に、唇で氷の侵入を止めながら、飲料のみを口の中に入れる必要がある。
【０００３】
これまで、カップの形状に工夫を凝らしたものはあるが（例えば、特許文献１参照）、後述する本発明の課題を解決するに有効なものは存在しない。
【０００４】
【特許文献１】
実開平７−２１５１２号公報
【０００５】
【発明が解決しようとする課題】
従来のカップを使用して、カップラーメンのスープのみを飲む場合、あるいは氷入り飲料の飲料のみを飲む場合は、共に、麺や氷の侵入を唇で阻止する必要があるので、きわめて飲み難いといった問題がある。
【０００６】
そこで本発明の目的とするところは、例えば、カップラーメンの容器として使用した場合にはスープのみを容易に飲むことができ、また、氷入り飲料の容器として使用した場合には飲料のみを容易に飲むことができるカップを提供することにある。
【０００７】
【課題を解決するための手段】
上記の目的を達成するために、本発明の請求項１に記載の仕切りカップは、麺や氷等の固形物（Ｓ）と、スープやジュース等の飲用液体（Ｆ）を混合した飲食品を飲食するために使用するカップであって、有底筒形状のカップ本体（１）の内部に、当該カップ本体（１）内を二つの部屋に分ける仕切り壁（２）を設け、少なくとも、前記カップ本体（１）と仕切り壁（２）との間に、前記飲用液体（Ｆ）のみが通過できる間隙（Ｇ）を形成してなることを特徴とする。
【０００８】
また、請求項２に記載の仕切りカップは、前記仕切り壁（２）を、可撓性材料で形成すると共に、その中心に縦方向に沿って折曲げた折曲ライン（２ａ）を形成し、湾曲状態に撓ませてその片面を前記カップ本体（１）の内周面に当接させると共に、その両端部を固定して取付け、前記カップ本体（１）の内周面とは逆方向に撓ませて前記カップ本体（１）の中心方向に反転自在としてなることを特徴とする。
【０００９】
さらに、請求項３に記載の仕切りカップは、前記仕切り壁（２）を、壁材（３）に、前記カップ本体（１）の上端から差し込む略Ｖ字状の孔部（４）を形成し、その孔部（４）の内側に形成される略逆三角形状の内側部分と、前記孔部（４）の外側に形成される外側部分のうち、前記内側部分で構成し、前記外側部分をカップ本体（１）の外周面に当接する支持部（５）とし、前記カップ本体（１）に着脱自在としてなることを特徴とする。
【００１０】
なお、カッコ内の記号は、図面および後述する発明の実施の形態に記載された対応要素または対応事項を示す。
【００１１】
本発明の請求項１に記載の仕切りカップによれば、有底筒形状のカップ本体の内部に、当該カップ本体内を二つの部屋に分ける仕切り壁を設け、少なくとも、カップ本体と仕切り壁との間に、飲用液体のみが通過できる間隙を形成しているので、当該飲用液体のみを容易に飲むことができる。
なお、間隙はカップ本体と仕切り壁下端との間に形成してもよく、カップ本体と仕切り壁の側端との間にも形成することもでき、さらに仕切り壁を切欠いて形成することもできる。
【００１２】
すなわち、カップ本体を傾けてその開口部を口に当てると、仕切り壁によって固形物の移動が妨げられ、飲用液体のみが容器本体と仕切り壁との間に形成した間隙を通過して口に運ばれる。
従って、固形物を唇で止めることなく、飲用液体のみを飲むことができる。
【００１３】
また、請求項２に記載の発明によれば、請求項１に記載の発明の作用効果に加えて、仕切り壁を、可撓性材料で形成すると共に、その中心に縦方向に沿って折曲ラインを形成し、さらに、湾曲状態に撓ませてその片面をカップ本体の内周面に当接させると共に、その両端部を固定して取付け、逆方向に撓ませてカップ本体の中心方向に反転自在としているので、使用勝手に優れる。
【００１４】
すなわち、仕切り壁が不要な場合は、当該仕切り壁をカップ本体の内周面に当接させた状態で使用し、必要な場合は、押圧して逆方向に撓ませ、カップ本体の中心方向に反転させる。
従って、固形物を食べる際には、仕切り壁をカップ本体の内周面に当接させた状態にしておくことで、その邪魔になることがない。
【００１５】
なお、仕切り壁には折曲げラインを形成しているので、当該仕切り壁をカップ本体の中心方向へ反転させた際、その反転力が折曲げラインに集中するので、当該反転姿勢がそのままの状態で維持される。
【００１６】
さらに、請求項３に記載の発明によれば、請求項１に記載の発明の作用効果に加えて、仕切り壁を、壁材に、カップ本体の上端から差し込む略Ｖ字状の孔部を形成し、その孔部の内側に形成される略逆三角形状の内側部分と、孔部の外側に形成される外側部分のうち、内側部分で構成すると共に、外側部分をカップ本体の外周面に当接する支持部とし、カップ本体に着脱自在としているので、さらに使用勝手に優れる。
【００１７】
すなわち、仕切り壁が不要な場合には、カップ本体から取外し、必要な場合に取付けることができるので、例えば、不要な場合に仕切り壁が飲食の邪魔になると言った弊害が発生しない。
【００１８】
なお、この仕切り壁には支持部が隣接して設けられているので、当該支持部がカップ本体の外周面に当接して、仕切り壁を安定姿勢で保持する。
従って、カップ本体と仕切り壁との間に形成される間隙を一定に保つことができ、飲用液体のみを確実に飲むことができる。
【００１９】
【発明の実施の形態】
（第一実施形態）
図１を参照して、本発明の第一実施形態に係る仕切りカップについて説明する。図１は仕切りカップを示すもので、（ａ）は平面図、（ｂ）はそのＡ−Ａ線断面図、（ｃ）はＢ−Ｂ線断面図である。
【００２０】
本発明の第一実施形態に係る仕切りカップは、麺である固形物Ｓと、スープである飲用液体Ｌを混合したカップ麺を収納し、かつ飲食するためのカップであり、有底円筒形状のカップ本体１の内部に、そのカップ本体１内を二つの部屋に分ける仕切り壁２を設けている。そして、カップ本体１と仕切り壁２下端との間に、飲用液体Ｌのみが通過できる間隙Ｇを形成している。
【００２１】
この仕切りカップにおいて、飲用液体Ｌを飲用する場合には、カップ本体１を傾けてその開口部の飲み口部１ａに口に当てる。これにより、仕切り壁２によって固形物Ｓの飲み口１ａ方向への移動が阻止され、飲用液体Ｌのみが容器本体と仕切り壁２下端との間に形成した間隙Ｇを通過して口に達する。
従って、飲用液体Ｌのみを容易に飲むことができる。
【００２２】
なお、間隙Ｇは、カップ本体１と仕切り壁２下端との間のみでなく、カップ本体１と仕切り壁２の側端との間にも形成することができ、さらに仕切り壁２を切欠いて形成することもできる。また、内容物は麺とスープに限定されず、氷とジュース、具と味噌スープなど、あらゆる種類の固形物Ｓと飲用液体Ｌを対象とすることができる。
【００２３】
（第二実施形態）
図２を参照して、本発明の第二実施形態に係る仕切りカップについて説明する。図２は仕切りカップを示すもので、（ａ）は平面図、（ｂ）はそのＣ−Ｃ線断面図、（ｄ）はＤ−Ｄ線断面図である。
【００２４】
本発明の第二実施形態に係る仕切りカップは、仕切り壁２を、紙やプラスチック等の可撓性材料で形成し、その中心に垂直方向に沿って折曲げた折曲ライン２ａを形成したことを特徴としている。また、カップ本体１の内周面に沿うように湾曲状態に撓ませてその片面をカップ本体１の内周面に当接させると共に、その両端部を貼着して取付けている。そして、カップ本体１の内周面側とは逆方向に撓ませてカップ本体１の中心方向に反転自在となるように設定している。
【００２５】
この仕切りカップは、固形物Ｓを食べるときには仕切り壁２をカップ本体１の内周面に当接させて邪魔にならないようにし、飲用液体Ｌを飲む場合には、仕切り壁２を押圧してカップ本体１の中心方向に反転させる。
これにより、カップ本体１と仕切り壁２との間に形成した間隙Ｇから飲用液体Ｌのみを通過させて口に運ぶことができる。従って、使用勝手が良いといった特徴を有する。
【００２６】
（第三実施形態）
図３および図４を参照して、本発明の第三実施形態に係る仕切りカップについて説明する。図３は仕切りカップを示すもので、（ａ）は平面図、（ｂ）はそのＥ−Ｅ線断面図、（ｃ）はＦ−Ｆ線断面図、（ｄ）は正面図である。また、図４は仕切り壁２を備えた壁材３を示すもので、（ａ）は正面図、（ｂ）は側面図である。
【００２７】
本発明の第三実施形態に係る仕切りカップは、仕切り壁２を、壁材３に、カップ本体１の上端から差し込む略Ｖ字状の孔部４を形成し、その孔部４の内側に形成される略逆三角形状の内側部分と、孔部４の外側に形成される外側部分のうち、前記内側部分で構成することを特徴としている。そして、外側部分をカップ本体１の外周面に当接する支持部５とし、カップ本体１に着脱自在としている。
【００２８】
この仕切り壁２は、麺などの固形物Ｓを食べる場合には不要であるためカップ本体１から取外し、スープ等の飲用液体Ｌを飲む場合に取付けることができる。従って、固形物Ｓを食べる際に仕切り壁２が邪魔になると言った弊害が発生せず、使用勝手に優れる。
【００２９】
また、この仕切り壁２に隣接して支持部５を設けているので、この支持部５がカップ本体１の外周面に当接して仕切り壁２を安定姿勢で保持することができるといった特徴を有する。
【００３０】
【発明の効果】
以上のとおり、本発明の請求項１に記載の仕切りカップによれば、カップ本体の内部に、当該カップ本体内を二つの部屋に分ける仕切り壁を設け、少なくとも、カップ本体と仕切り壁との間に、飲用液体のみが通過できる間隙を形成しているので、その間隙から飲用液体のみを通過させることができる。
従って、飲用液体のみを容易に飲用することができる。
【００３１】
また、請求項２に記載の発明によれば、請求項１に記載の発明の作用効果に加えて、仕切り壁を、可撓性材料で形成して折曲ラインを形成し、また、湾曲状態に撓ませてその片面をカップ本体の内周面に当接させると共に、その両端部を固定して取付け、逆方向に撓ませてカップ本体の中心方向に反転自在としているので、飲用液体を飲む場合にのみ仕切り壁を使用することができる。
よって、使用勝手に優れる。
【００３２】
さらに、請求項３に記載の発明によれば、請求項１の発明の作用効果に加えて、仕切り壁を、壁材に、Ｖ字状の孔部を形成し、その孔部の内側に形成される略逆三角形状の内側部分で形成し、孔部の外側部分を支持部とし、カップ本体に対して着脱自在としているので、飲用液体を飲む場合に取付け、それ以外では取外すことができる。
従って、使用勝手に優れる。
【００３３】
また、この仕切り壁には支持部を隣接して設けているので、この支持部がカップ本体の外周面に当接して仕切り壁を安定姿勢で保持する。
従って、カップ本体と仕切り壁との間の間隙を一定に保つことができ、飲用液体のみを確実に飲用することができる。
【図面の簡単な説明】
【図１】本発明の第一実施形態に係る仕切りカップを示すもので、（ａ）は平面図、（ｂ）はそのＡ−Ａ線断面図、（ｃ）はＢ−Ｂ線断面図である。
【図２】本発明の第二実施形態に係る仕切りカップを示すもので、（ａ）は平面図、（ｂ）はそのＣ−Ｃ線断面図、（ｄ）はＤ−Ｄ線断面図である。
【図３】本発明の第三実施形態に係る仕切りカップを示すもので、（ａ）は平面図、（ｂ）はそのＥ−Ｅ線断面図、（ｃ）はＦ−Ｆ線断面図、そして、（ｄ）は正面図である。
【図４】図３に示す仕切りカップにおける仕切り壁を備えた壁材を示すもので、（ａ）は正面図、（ｂ）は側面図である。
【符号の説明】
１      カップ本体
１ａ    飲み口部
２      仕切り壁
２ａ    折曲げライン
３      壁材
４      孔部
５      支持部
Ｇ      間隙
Ｓ      固形物
Ｌ      飲用液体
【図１】
2004323060.tif 000003
【図２】
2004323060.tif 000004
【図３】
2004323060.tif 000005
【図４】
2004323060.tif 000006